(57)【要約】【課題】傷発生を防止するのみならず、使用時には外れにくく、交換時には容易に交換して着せ替えができる、見映えがよく、商品性の高い折畳み式携帯電子機器を提供する。【解決手段】第１の筐体及び第２の筐体２，３を、カバー２０と第１及び第２固定部材３０，３５とで挟まれた状態で第１及び第２締結部材１３，１４によって締結し、第１の筐体及び第２の筐体２，３の背面側をカバー２０で着脱自在に覆う。【選択図】図３
2007208837.tif 000002
【特許請求の範囲】
【請求項１】
第１の筐体と、第２の筐体と、第１及び第２の筐体を折り畳み自在に連結するヒンジ部とを備え、第１の筐体及び第２の筐体の背面側がカバーで覆われた折畳み式携帯電子機器であって、
上記カバーは、上記第１の筐体を覆う第１平面部と、第２の筐体の背面を覆う第２平面部と、該第１平面部と第２平面部とを連結する結合部とを備え、
上記第１の筐体は、上記カバーの第１平面部と第１固定部材とで挟まれた状態で第１締結部材によって締結され、
上記第２の筐体は、上記カバーの第２平面部と第２固定部材とで挟まれた状態で第２締結部材によって締結され、
上記第１固定部材と第２固定部材とは、上記ヒンジ部で連結され、
上記カバーは着脱自在に構成されている
ことを特徴とする折畳み式携帯電子機器。
【請求項２】
請求項１に記載の折畳み式携帯電子機器において、
上記第１の筐体及び第２の筐体の側面部には、フランジが形成され、該フランジには、上記カバーの位置決めをするための突起が形成され、
上記カバーには、上記突起が係合する係合孔が形成されている
ことを特徴とする折畳み式携帯電子機器。
【請求項３】
請求項２に記載の折畳み式携帯電子機器において、
上記フランジは、上記第１の筐体及び第２の筐体の外周側面に設けられ、上記突起は該フランジの外周各辺に少なくとも１つ設けられている
ことを特徴とする折畳み式携帯電子機器。
【請求項４】
請求項２又は３に記載の折畳み式携帯電子機器において、
上記突起の先端には、内側に折り曲げられた鉤部が形成されている
ことを特徴とする折畳み式携帯電子機器。
【請求項５】
請求項２乃至４のいずれか１つに記載の折畳み式携帯電子機器において、
上記カバーの第１及び第２平面部には、その外周を内側に折り畳むことによりノリ部が形成され、該ノリ部に上記係合孔が設けられている
ことを特徴とする折畳み式携帯電子機器。
【請求項６】
請求項５に記載の折畳み式携帯電子機器において、
上記ノリ部のカバー外周近傍には、縫いつけられてミシン目が形成され、第１の筐体及び第２の筐体の左右側面に対応する側面ノリ部は、該ミシン目を境に起立可能に構成されている
ことを特徴とする折畳み式携帯電子機器。
【請求項７】
請求項１乃至６のいずれか１つに記載の折畳み式携帯電子機器において、
上記カバーは、上下対象に形成されている
ことを特徴とする折畳み式携帯電子機器。
【請求項８】
請求項１乃至７のいずれか１つに記載の折畳み式携帯電子機器において、
上記カバーは、本革で構成されている
ことを特徴とする折畳み式携帯電子機器。
【請求項９】
請求項１乃至７のいずれか１つに記載の折畳み式携帯電子機器において、
上記カバーは、合成皮革で構成されている
ことを特徴とする折畳み式携帯電子機器。
【請求項１０】
請求項１乃至７のいずれか１つに記載の折畳み式携帯電子機器において、
上記カバーは、布で構成されている
ことを特徴とする折畳み式携帯電子機器。
【請求項１１】
請求項１乃至１０のいずれか１つに記載の折畳み式携帯電子機器において、
上記第１及び第２固定部材は、樹脂成形品で構成されている
ことを特徴とする折畳み式携帯電子機器。
【請求項１２】
請求項１乃至１０のいずれか１つに記載の折畳み式携帯電子機器において、
上記第１及び第２固定部材は、金属材料で構成されている
ことを特徴とする折畳み式携帯電子機器。
【請求項１３】
請求項１乃至１２のいずれか１つに記載の折畳み式携帯電子機器において、
折畳み式携帯電話機である
ことを特徴とする折畳み式携帯電子機器。
【発明の詳細な説明】
【技術分野】
【０００１】
本発明は、カバーを装着した折畳み式携帯電子機器に関する。
【背景技術】
【０００２】
携帯電話機は全国でますます普及し、メールや電話をする人が増えている。そして携帯するが故に持ち運び落としてしまうことも度々あり、携帯電話機の外観を傷付けてしまう。
【０００３】
そのため、落としても傷を付けにくくするために、カバーを設けるものが知られている。このようなカバーを設けても、すぐにカバーを脱着して使用可能にしたり、またカバーを付たままで使用可能にするよう工夫されている。
【０００４】
例えば、特許文献１には、携帯電話機を収納するカバーで、ベルト等に装着し、脱着を素早く行え、携帯電話機を収納したままで通話が行えるカバー装置が開示されている。
【０００５】
また、特許文献２には、カバーの上下の折り返しでベルト装着用のループを構成し、使用時には、カバーに折り返し部を密着して邪魔にならないようにすることが記載されている。
【０００６】
また、特許文献３には、機器本体を収めた筐体及びこの筐体を固着するシート部を有する本体部と、この本体部に被着するカバーとを有する小型電子機器において、前記本体部の前記シート部は、前記筐体よりも側方に突出するフランジ部を有し、前記カバーは、前記フランジ部に係止させて前記シート部に被着する袋状の周辺部を外縁部に有する小型電子機器が開示されている。
【特許文献１】特開平１１−２８５４０８号公報
【特許文献２】特開平１１−２９９５２２号公報
【特許文献３】特開２００５−１３６２６１号公報
【発明の開示】
【発明が解決しようとする課題】
【０００７】
ところで、近年、携帯電話機の外観を変えるアクセサリが用いられている。すなわち、気分によって日替わりで違うアクセサリを付けたり、季節によってアクセサリを変えたり、仕事やプライベートでアクセサリを変えたり、会う相手によってアクセサリを変えたりするというニーズがある。
【０００８】
しかしながら、従来の携帯電話機等の携帯電子機器では、携帯電話機の傷発生を防止したり、使用者の体が触れたときの不快感を防ぐことはできるものの、容易にＴＰＯに合わせて外観を変えることができなかった。つまり、上記特許文献３には、着脱自在なカバーが開示されているが、実際には、フランジ部と袋状の周辺部とを接着しないと、開閉時にカバーがフランジ部に対して動いてしまうので、容易にカバーが外れてしまう。これを防ぐためには、フランジ部とカバーとを接着せざるを得ず、結果としてカバーを着脱自在に構成できないという問題がある。
【０００９】
本発明は、かかる点に鑑みてなされたものであり、その目的とするところは、傷発生を防止するのみならず、使用時には外れにくく、交換時には容易に交換して着せ替えができる、見映えがよく、商品性の高い携帯電子機器を提供することにある。
【課題を解決するための手段】
【００１０】
上記目的を達成するために、第１の発明では、第１の筐体と、第２の筐体と、第１及び第２の筐体を折り畳み自在に連結するヒンジ部とを備え、第１の筐体及び第２の筐体の背面側がカバーで覆われた折畳み式折畳み式携帯電子機器を対象とし、
上記カバーは、上記第１の筐体を覆う第１平面部と、第２の筐体の背面を覆う第２平面部と、該第１平面部と第２平面部とを連結する結合部とを備え、
上記第１の筐体は、上記カバーの第１平面部と第１固定部材とで挟まれた状態で第１締結部材によって締結され、
上記第２の筐体は、上記カバーの第２平面部と第２固定部材とで挟まれた状態で第２締結部材によって締結され、
上記第１固定部材と第２固定部材とは、上記ヒンジ部で連結され、
上記カバーは着脱自在に構成されている。
【００１１】
上記の構成により、第１の筐体及び第２の筐体が、カバーと第１及び第２固定部材とで挟まれた状態で堅固に第１及び第２締結部材によって締結されているので、使用時にカバーが外れてしまうことはない。また、第１及び第２締結部材を外すことにより、容易に第１及び第２固定部材を外して、カバーの交換が行われる。第１固定部材と第２固定部材とがヒンジ部で連結されていることで、第１及び第２固定部材に締結された第１及び第２の筐体が折り畳み自在に連結される。
【００１２】
第２の発明では、上記第１の筐体及び第２の筐体の側面部には、フランジが形成され、該フランジには、上記カバーの位置決めをするための突起が形成され、
上記カバーには、上記突起が係合する係合孔が形成されている。
【００１３】
上記の構成により、突起が係合孔に係合するので、折畳み式携帯電子機器を使用中にさらにカバーが第１の筐体及び第２の筐体から外れにくくなる。
【００１４】
第３の発明では、上記フランジは、上記第１の筐体及び第２の筐体の外周側面に設けられ、上記突起は該フランジの外周各辺に少なくとも１つ設けられている。
【００１５】
上記の構成により、カバーが第１の筐体及び第２の筐体のフランジ外周の各辺に係合されるので、さらにカバーが外れにくくなる。
【００１６】
第４の発明では、上記突起の先端には、内側に折り曲げられた鉤部が形成されている。
【００１７】
上記の構成により、突起先端の鉤部が係合孔周縁に引っ掛かるので、カバーがさらに外れにくくなる。
【００１８】
第５の発明では、上記カバーの第１及び第２平面部には、その外周を内側に折り畳むことによりノリ部が形成され、該ノリ部に上記係合孔が設けられている。
【００１９】
上記の構成により、カバー外周の切断面が内側に向くので、見映えがよく、外周が二つ折りなので痛みにくくなる。また、ノリ部の裏面側にフランジ部を挟み込んだ上で、突起と係合孔とを係合させることで、さらにカバーが外れにくくなる。
【００２０】
第６の発明では、上記ノリ部のカバー外周近傍には、縫いつけられてミシン目が形成され、第１の筐体及び第２の筐体の左右側面に対応する側面ノリ部は、該ミシン目を境に起立可能に構成されている。
【００２１】
上記の構成により、第１の筐体及び第２の筐体の左右側面の側面ノリ部を起立させた状態でフランジ部をカバー裏面上に載置した後、ノリ部を内側に折り畳みながら、突起と係合孔とを係合させることで、容易にカバーが第１の筐体及び第２の筐体に組み付けられる。
【００２２】
第７の発明では、上記カバーは、上下対象に形成されている。
【００２３】
上記の構成により、カバーの成形が容易となると共に、上下逆に取り付けてもよいので、その第１及び第２の筐体に対する組付が容易となる。
【００２４】
第８の発明では、上記カバーは、本革で構成されている。
【００２５】
上記の構成により、本革によって動物が持つ自然の手触りや匂いを楽しむことができる。
【００２６】
第９の発明では、上記カバーは、合成皮革で構成されている。
【００２７】
上記の構成により、合成皮革は、材質や加工方法によって表面にいろいろな装飾を施すことができると共に、手入れが容易である。
【００２８】
第１０の発明では、上記カバーは、布で構成されている。
【００２９】
上記の構成により、汚れれば取り外して洗うことも可能となる。
【００３０】
第１１の発明では、上記第１及び第２固定部材は、樹脂成形品とする。
【００３１】
上記の構成により、加工が容易でカバーの材質に合わせた色調や質感を選択できるので、ファッション性が向上する。また、剛性が高く、貫通孔がずれないので、受話部や送話部を塞いでしまうことがない。
【００３２】
第１２の発明では、上記第１及び第２固定部材は、金属材料で構成されるものとする。
【００３３】
上記の構成により、金属材料特有の質感を味わえ、また、剛性が高く、貫通孔がずれないので、受話部や送話部を塞いでしまうことがない。
【００３４】
第１３の発明では、携帯電話機器を折畳み式携帯電話機とする。
【００３５】
上記の構成より、高級感、ファッショ性のある折畳み式携帯電話機が得られる。
【発明の効果】
【００３６】
以上説明したように、本発明によると、第１の筐体及び第２の筐体を、カバーと第１及び第２固定部材とで挟まれた状態で第１及び第２締結部材によってそれぞれ締結し、第１固定部材と第２固定部材とをヒンジ部で連結し、カバーを着脱自在に構成している。このため、傷発生を防止するのみならず、使用時には外れにくく、交換時には容易に交換して着せ替えができる、見映えがよく、商品性の高い折畳み式携帯電子機器を提供することができる。
【発明を実施するための最良の形態】
【００３７】
以下、本発明の実施形態を図面に基づいて説明する。
【００３８】
図１は、本発明の実施形態に係る折畳み式携帯電子機器としての折畳み式携帯電話機１の閉じた状態を右方向から見た斜視図である。図２は、折畳み式携帯電話機１の開いた状態を右方向から見た斜視図である。
【００３９】
図１及び図２に示すように、本実施形態の携帯電話機１は、第１の筐体２と、第２の筐体３とを有し、これらがヒンジ部４によって回転可能に結合されている。電話機本体１０は、これら第１及び第２の筐体２，３で構成されている。
【００４０】
上記第１の筐体２には、表示部５、受話部８等が設けられている。上記第２の筐体３には、機能ボタン６、情報入力ボタン７、送話部９等が設置されている。
【００４１】
上記第１及び第２の筐体２，３の背面は、カバー２０に覆われている。カバー２０は、第１の筐体２を覆う第１平面部２０ａと第２の筐体３の背面を覆う第２平面部２０ｂと、これら第１平面部２０ａと第２平面部２０ｂとを連結する結合部２０ｃとを備えている。カバー２０は、結合部２０ｃを中心として上下対象形に成形されている。結合部２０ｃとヒンジ部４との間には、隙間が形成されて互いに結合されていない。結合部２０ｃには、折畳み式携帯電話機１の開閉を考慮して弛みが設けられている。但し、開いた状態では弛みが発生するように構成されているが、閉じた状態では結合部２０ｃの弛みがなくなるようにすると、見映えがよい。なお、カバー２０は、弛みをなくすために、第１の筐体２と第２の筐体３の結合部２０ｃ付近で分割し、分割したそれぞれを第１及び第２の筐体２，３に締結し、ヒンジ部４は覆わないようにしてもよい。
【００４２】
図３は、第１及び第２の筐体２，３と、第１固定部材３０と、第２固定部材３５と、カバー２０と、第１及び第２締結部材１３，１４との分解図を示す。図４は、第１及び第２の筐体２，３の分解図を示す。図５は、組み付けられた状態の第１及び第２の筐体２，３の斜視図を示す。図６は、組み付けられた状態の第１及び第２固定部材３０，３５の斜視図を示す。
【００４３】
図４に示すように、上記第１の筐体２は、第１表面側キャビネット２ａと、第１裏面側キャビネット２ｂとに分割され、上記第２の筐体３は、第２表面側キャビネット３ａと、第２裏面側キャビネット３ｂとに分割されている。上記第１の筐体２の下端部には、第１軸挿通部２ｃが形成され、第２の筐体３の上端部には、第２軸挿通部３ｃが形成されている。第１及び第２表面側キャビネット２ａ，３ａには筐体締結用ネジ挿通孔１１がそれぞれ４つ形成され、第１及び第２裏面側キャビネット２ｂ，３ｂには筐体締結用ボス１２がそれぞれ４つ形成されている。第１表面側キャビネット２ａと、第１裏面側キャビネット２ｂとの間には、表示部５、各種回路部品等で構成された第１基板ユニット４０が収納されるようになっている。第２表面側キャビネット３ａと、第２裏面側キャビネット３ｂとの間には、機能ボタン６、情報入力ボタン７、その他回路部品等で構成された第２基板ユニット４１が収納されるようになっている。筐体締結用ネジ４３を筐体締結用ネジ挿通孔１１に挿通して、筐体締結用ボス１２に締結することで第１及び第２の筐体２，３が組み付けられるようになっている。第１及び第２軸挿通部２ｃ，３ｃに開閉軸４４を収納することで、第１の筐体２と第２の筐体３とが連結されている。第１及び第２軸挿通部２ｃ，３ｃ内に第１基板ユニット４０と第２基板ユニット４１とを電気的に接続するフレキシブル基板４５が配設されている。
【００４４】
第１裏面側キャビネット２ｂの外周側面には、第１フランジ部１５が設けられ、第２裏面側キャビネット３ｂの外周側面には、第２フランジ部１６が設けられている。第１フランジ部１５の表面側の各辺には、垂直に突出する第１突起１５ａが複数設けられ、第２フランジ部１６の表面側の各辺には、垂直に突出する第２突起１６ａが複数形成されている。第１フランジ部１５のヒンジ部４側表面には、垂直に突出する４つの第１ボス１７が設けられ、第２フランジ部１６のヒンジ部４側表面には、垂直に突出する４つの第２ボス１８が形成されている。
【００４５】
図３に示すように、上記第１の筐体２には、その表面側から上記第１固定部材３０が嵌め込まれるようになっている。この第１固定部材３０は、第１の筐体２の第１フランジ部１５を表面側から覆う平面視略矩形枠状に形成されている。第１固定部材３０は、第１締結部材１３を挿入する４つの第１ネジ挿通孔３１と受話部８の音を通す受話部用孔３２とを有している。第１固定部材３０の下端部両端には、上記ヒンジ部４を構成する第１軸受部３３が形成されている。
【００４６】
上記第２の筐体３には、上記第２固定部材３５が嵌め込まれるようになっている。この第２固定部材３５は、第１及び第２の筐体２，３の第２フランジ部１６を表面側から覆う平面視略矩形枠状に形成されている。第２固定部材３５は、第２締結部材１４を挿入する２つの第２ネジ挿通孔３６と送話部９の音を通す送話部用孔３７とを有している。第２固定部材３５の上端部両端側には、上記第１軸受部３３の内側に配置され、上記ヒンジ部４を構成する第２軸受部３８が形成されている。
【００４７】
図３及び図６に示すように、上記第１及び第２軸受部３３，３８に内部には、上記ヒンジ部４を構成し、弾性部材（図示せず）を備えたヒンジ部材３９が挿入されて固定されている。このことで、第１固定部材３０と第２固定部材３５とが所定の角度で開閉されるように連結されている。その結果として、第１及び第２固定部材３０，３５にそれぞれ締結された第１の筐体２と第２の筐体３とが、ヒンジ部４によって折り畳み自在に連結されている。
【００４８】
図７に示すように、上記カバー２０は、第１及び第２の筐体２，３を覆う大きさにカットされ、第１及び第２平面部２０ａ，２０ｂの外周を内側に折り畳んで、ノリ部２２を残してミシンで縫われている。ノリ部２２は、第１突起１５ａ、第２突起１６ａに挿入する係合孔２３を有している。上下のノリ部２２は、左右の側面ノリ部２２ａと、上下の上側ノリ部２２ｂ及び下側ノリ部２２ｃとにそれぞれ分割されている。左右の側面ノリ部２２ａは、ミシン目２４の部分から起立可能に形成され、上側ノリ部２２ｂ及び下側ノリ部２２ｃは起立はできないように袋状に形成されている。
【００４９】
図８は、図２のVIII−VIII線断面図を示す。側面ノリ部２２ａの係合孔２３は、第１又は第２突起１５ａ，１６ａに挿入され、その外周側で、第１又は第２固定部材３０，３５の内側端部で押さえられている。第１及び第２突起１５ａ，１６ａの先端には、内側にＬ字状に折り曲げられた鉤部１９が形成されている。このため、組付中及び組付後にカバー２０が外れにくくなっている。
【００５０】
−組付手順−
次に、図面を用いて折畳み式携帯電話機１の組付手順について説明する。
【００５１】
まず、図４に示すように、第１表面側キャビネット２ａと第１裏面側キャビネット２ｂとの間に第１基板ユニット４０を収納し、第２表面側キャビネット３ａと第２裏面側キャビネット３ｂとの間に第２基板ユニット４１を収納し、第１及び第２軸挿通部２ｃ，３ｃに開閉軸４４及びフレキシブル基板４５を収納した状態で筐体締結用ネジ４３を締結する。
【００５２】
次いで、組み付けられた第１及び第２の筐体２，３にカバー２０を組み付ける。
【００５３】
まず、図３に示すように、第１平面部２０ａの側面ノリ部２２ａを起立させた状態で第１の筐体２をカバー２０の内側（Ｐ方向）に合わせ、第１フランジ部１５の上側を上側ノリ部２２ｂに下側から嵌め込んで、２つの係合孔２３を第１突起１５ａに挿入する。カバー２０は、上下対象形なので、いずれを上側にしてもよく、組付が容易である。
【００５４】
次いで、左右の側面ノリ部２２ａを内側に倒しながら、各係合孔２３を第１突起１５ａに挿入する。
【００５５】
次に、第１固定部材３０を第１の筐体２の表面側から嵌め込み、第１ネジ挿通孔３１を第１ボス１７に合わせる。
【００５６】
次いで、第１締結部材１３を第１ネジ挿通孔３１に挿通して第１ボス１７に締結し、第１固定部材３０を固定する。この段階で第１の筐体２部分の組付が完了となる。
【００５７】
次いで、第２平面部２０ｂの側面ノリ部２２ａを起立させた状態で第２の筐体３をカバー２０の内側（Ｑ方向）に合わせ、カバー２０の結合部２０ｃを撓ませながら、第２フランジ部１６の下側を下側ノリ部２２ｃに嵌め込んで、２つの係合孔２３を第２突起１６ａに挿入する。
【００５８】
次いで、左右の側面ノリ部２２ａを内側に倒しながら、各係合孔２３を第２突起１６ａに挿入する。
【００５９】
次に、第２固定部材３５を第２の筐体３の表面側から嵌め込み、第２ネジ挿通孔３６を第２ボス１８に合わせる。
【００６０】
次いで、第２締結部材１４により、第２固定部材３５を固定する。
【００６１】
最後に第１軸受部３３の外側からヒンジ部材３９を挿入する。
【００６２】
一方、カバー２０の着せ替えをするには、第１締結部材１３、第２締結部材１４及びヒンジ部材３９を外して第１及び第２固定部材３０，３５を取り外した上でカバー２０を取り外し、上記と逆の動作を行った後、再び上記と同様にして別のカバー２０を組み付ければよい。
【００６３】
−実施形態の効果−
したがって、本実施形態にかかる折畳み式携帯電話機１によると、第１及び第２の筐体２，３を、カバー２０と第１及び第２固定部材３０，３５とで挟まれた状態で第１及び第２締結部材１３，１４によって締結し、第１固定部材３０と第２固定部材３５とをヒンジ部材３９で連結し、カバー２０を着脱自在に構成している。このため、折畳み式携帯電話機１を傷発生を防止するのみならず、使用時には外れにくく、交換時には容易に交換して着せ替えができる、見映えがよく、商品性の高いものとすることができる。
【００６４】
（その他の実施形態）
本発明は、上記実施形態について、以下のような構成としてもよい。
【００６５】
すなわち、上記実施形態では、第１及び第２固定部材３０，３５を第１及び第２締結部材１３，１４で締結してカバー２０との間に第１及び第２フランジ部１５，１６を挟み込んでいるが、第１及び第２フランジ部１５，１６と第１及び第２固定部材３０，３５とを、それぞれ互いに爪嵌合で取り付けるようにしてもよい。
【００６６】
上記実施形態では、カバー２０は、本革で構成されているが、合成皮革や布で構成してもよく、これらの複合材料であってもよい。合成皮革は、材質や加工方法によって表面にいろいろな装飾を施すことができると共に、手入れが容易である。布で構成すれば、汚れれば取り外して洗うことも可能となる。
【００６７】
上記実施形態では、折畳み式携帯電子機器を折畳み式携帯電話機としたが、ＰＨＳ、ＰＤＡ、ＰＣ、電子辞書、電卓等の折畳み式の携帯電子機器でもよい。要は、第１の筐体と、第２の筐体と、第１及び第２の筐体を折り畳み自在に連結するヒンジ部とを備え、第１の筐体及び第２の筐体の背面側がカバーで覆われた折畳み式携帯電子機器であればよい。
【００６８】
なお、以上の実施形態は、本質的に好ましい例示であって、本発明、その適用物や用途の範囲を制限することを意図するものではない。
【産業上の利用可能性】
【００６９】
以上説明したように、本発明は、皮革製などのカバーで覆われた折畳み式携帯電話機などの折畳み式携帯電子機器について有用である。
【図面の簡単な説明】
【００７０】
【図１】本発明の実施形態に係る折畳み式携帯電話機の閉じた状態を右方向から見た斜視図である。
【図２】折畳み式携帯電話機の開いた状態を右方向から見た斜視図である。
【図３】第１及び第２の筐体と第１固定部材と第２固定部材とカバーと第１及び第２締結部材との分解図を示す。
【図４】第１及び第２の筐体の分解図を示す。
【図５】組み付けられた状態の第１及び第２の筐体の斜視図を示す。
【図６】組み付けられた状態の第１及び第２固定部材の斜視図を示す。
【図７】カバーの斜視図を示す。
【図８】図２のVIII−VIII線断面図を示す。
【符号の説明】
【００７１】
１      折畳み式携帯電話機（折畳み式携帯電子機器）
２      第１の筐体
３      第２の筐体
４      ヒンジ部
１３      第１締結部材
１４      第２締結部材
１５      第１フランジ部（フランジ）
１５ａ    第１突起
１６      第２フランジ部（フランジ）
１６ａ    第２突起
１９      鉤部
２０      カバー
２０ａ    第１平面部
２０ｂ    第２平面部
２０ｃ    結合部
２２      ノリ部
２２ａ    側面ノリ部
２３      係合孔
２４      ミシン目
３０      第１固定部材
３５      第２固定部材
【図１】
2007208837.tif 000003
【図２】
2007208837.tif 000004
【図３】
2007208837.tif 000005
【図４】
2007208837.tif 000006
【図５】
2007208837.tif 000007
【図６】
2007208837.tif 000008
【図７】
2007208837.tif 000009
【図８】
2007208837.tif 000010